(57)【要約】      （修正有）【課題】  生活動線の延長を招くことなく簡便に顔面の角質除去ができる洗面化粧台を提供する。【解決手段】  水道水を吐水する第一吐水手段５と、角質除去能を有する機能水を吐水する第二吐水手段１２と、第二吐水手段に角質除去能を有する機能水を供給する電気分解槽２４と、電気分解槽に電解助剤を供給する電解助剤供給手段２３とを備える。【選択図】  図２
2006271797.tif 000002
【特許請求の範囲】
【請求項１】
水道水を吐水する第一吐水手段と、角質除去能を有する機能水を吐水する第二吐水手段と、第二吐水手段に角質除去能を有する機能水を供給する電気分解槽と、電気分解槽に電解助剤を供給する電解助剤供給手段とを備えることを特徴とする洗面化粧台。
【請求項２】
第二吐水手段は機能水を上向きに吐水して第二吐水手段の最高部位よりも上方の高さ位置まで到達させることを特徴とする請求項１に記載の洗面化粧台。
【請求項３】
第二吐水手段は可動であることを特徴とする請求項１又は２に記載の洗面化粧台。
【請求項４】
第二吐水手段は機能水を霧化して吐水することを特徴とする請求項１乃至３の何れか１項に記載の洗面化粧台。
【請求項５】
第一吐水手段から吐水する水道水から有害物質を除去する有害物質除去手段を備えることを特徴とする請求項１乃至４の何れか１項に記載の洗面化粧台。
【請求項６】
機能水を軟水化する軟水化手段を備えることを特徴とする請求項１乃至５の何れか１項に記載の洗面化粧台。
【請求項７】
軟水化手段は電気分解槽に供給される水道水を軟水化することを特徴とする請求項６に記載の洗面化粧台。
【請求項８】
椅子を備えることを特徴とする請求項１乃至７の何れか１項に記載の洗面化粧台。
【請求項９】
鏡を備えることを特徴とする請求項１乃至８の何れか１項に記載の洗面化粧台。
【請求項１０】
鏡は防曇鏡であることを特徴とする請求項９に記載の洗面化粧台。
【発明の詳細な説明】
【技術分野】
【０００１】
本発明は、洗面化粧台に関するものである。
【背景技術】
【０００２】
本願出願人は特許文献１において、弱酸性の電気分解水を吐出可能な洗面化粧台を提案した。
【特許文献１】特開平５−７６４５７
【発明の開示】
【発明が解決しようとする課題】
【０００３】
特許文献１の洗面化粧台は頭髪に付着した汚れを弱酸性水で効果的に除去することを目的とするものであった。
近年、肌の浸透性を良くして化粧水や化粧品の乗りを向上させるべく、角質除去能を有する機能水を用いて顔面の角質を除去する人が増えつつある。角質除去を伴う洗面化粧は、一般に以下の手順で行なわれている（化粧をしていない時は手順(1)、(2)を除く）。
(1)クレンジング剤で化粧を落とす。
(2)クレンジング剤を水で洗い落とす。
(3)洗顔フォームで洗顔する。
(4)洗顔フォームを水で洗い落とす。
(5)機能水で角質を除去する。
(6)化粧水を塗る。
(7)美容液を塗る。
従来、水栓操作を伴う手順(1)〜(4)（化粧をしていない時は手順(1)、(2)を除く）は洗面化粧台で行なわれ、水栓操作を伴わない手順(5)〜(7)は居間で行なわれていた。この結果、生活動線（歩く距離）が長くなるという問題を生じていた。
本発明は上記課題に鑑みてなされたものであり、手順(1)〜(7)（化粧をしていない時は手順(1)、(2)を除く）を一貫して行なうことができ、角質除去を伴う洗面化粧の際の生活動線を従来に比べて短縮できる洗面化粧台を提供することを目的とする。
【課題を解決するための手段】
【０００４】
上記課題を解決するために、本発明においては、水道水を吐水する第一吐水手段と、角質除去能を有する機能水を吐水する第二吐水手段と、第二吐水手段に角質除去能を有する機能水を供給する電気分解槽と、電気分解槽に電解助剤を供給する電解助剤供給手段とを備えることを特徴とする洗面化粧台を提供する。
本発明に係る洗面化粧台を使用すれば、角質除去を伴う洗面化粧の手順(1)〜(7)（化粧をしていない時は手順(1)、(2)を除く）を洗面化粧台のみで行なうことができ、角質除去を伴う洗面化粧の際の生活動線を従来に比べて短縮できる。
【０００５】
本発明の好ましい態様においては、第二吐水手段は機能水を上向きに吐水して第二吐水手段の最高部位よりも上方の高さ位置まで到達させる。
第二吐水手段から吐出した機能水が第二吐水手段の最高部位よりも上方の高さ位置まで到達すると、使用者は、手で機能水を掬うことなく下方へ差し向けた顔を第二吐水手段の上方へ差し出すだけで機能水を顔面に浴びることができ、また手を使うことなく吐水の勢いだけで角質を除去できるので、楽な姿勢で且つ楽に角質除去を行なうことができる。
【０００６】
本発明の好ましい態様においては、第二吐水手段は可動である。
第二吐水手段が可動であれば、使用者は顔を動かすことなく顔面の所望の部位に機能水を浴びることができるので便利である。また第二吐水手段が可動であれば、体表面の顔以外の部位にも容易に機能水を付着させて角質除去を行なうことができる。
【０００７】
本発明の好ましい態様においては、第二吐水手段は機能水を霧化して吐水する。
霧化された機能水は、少量でも分散するので広範囲に亙って顔面に付着し、且つ、少量でも飛散速度が低く長時間に亙って顔面上に滞留するので効果的に角質を除去する。従って、機能水を霧化することにより、機能水の節水、電気分解槽の小型化、消費電力の節約、電解助剤の節約が実現される。
また霧化することにより、人の肌や洗面ボウルと接触した際の水跳ねを防止することができ、使用者の衣服や洗面化粧台周囲の床への機能水の飛散を防止することができる。
【０００８】
本発明の好ましい態様においては、洗面化粧台は、第一吐水手段から吐水する水道水から有害物質を除去する有害物質去手段を備える。
第一吐水手段から吐水する水道水から、酸化作用のある次亜塩素酸やハロゲン有機化合物、人体のホルモンバランスを攪乱する環境ホルモン等の有機化合物、等の有害物質を除去することにより、皮膚に与える刺激を減少させ、或いは外因性の体調不良を防止することができる。
【０００９】
本発明の好ましい態様においては、洗面化粧台は、機能水を軟水化する軟水化手段を備える。
本発明の好ましい態様においては、軟水化手段は電気分解槽に供給される水道水を軟水化する。
機能水を軟水化すると、泡立ちが良くなり角質除去能が向上する。また肌のタンパク質と結合するマグネシウムイオンやカルシウムイオンを除去した軟水を使用することで肌の張りや弾力を維持しつつ角質除去を行なうことができる。また第二吐水手段の吐水孔に炭酸マグネシウムや炭酸カルシウム等の塩が析出して吐水に支障を来すのを防止することができる。
電気分解槽に供給される水道水を軟水化することにより、電気分解槽の陰極に炭酸マグネシウムや炭酸カルシウム等の塩が析出して電解機能が低下するのを防止することができる。
【００１０】
本発明の好ましい態様においては、洗面化粧台は椅子を備える
本発明の好ましい態様においては、洗面化粧台は鏡を備える。
本発明の好ましい態様においては、鏡は防曇鏡である。
洗面化粧台が椅子を備える場合には、椅子に座りながら楽な姿勢で角質除去を行なえるので、洗面化粧台の使い勝手が向上する。
洗面化粧台が鏡を備える場合には、鏡を見て機能水の浴び具合や洗顔のタイミングを測りながら角質除去を行なえるので、洗面化粧台の使い勝手が向上する。
鏡が防曇鏡であれば、入浴前後や鏡が曇り易い寒冷地でも、鏡を見ながら角質除去を行なえるので、洗面化粧台の使い勝手が向上する。
【発明の効果】
【００１１】
本発明に係る洗面化粧台を使用すれば、角質除去を伴う洗面化粧の全手順を洗面化粧台のみで行なうことができ、角質除去を伴う洗面化粧の際の生活動線を従来に比べて短縮できる。
【発明を実施するための最良の形態】
【００１２】
本発明の実施例を説明する。
【実施例１】
【００１３】
図１に示すように、洗面化粧台Ａは、キャビネット１と、キャビネット１内に配設された機能水創水装置２と、キャビネット１の上部に取り付けられた洗面ボウル３と、洗面ボウル３のリム部に取り付けられた吐水栓４、機能水吐水栓５、機能水創水装置のスイッチボード６とを備えている。
図２に示すように、機能水創水装置２は、吐水栓４に接続する水道配管１００から分岐した分岐配管２１と、分岐配管２１内の流水に関して上流から下流へ向けて順次分岐配管２１に接続された電磁弁２２、食塩供給タンク２３、電気分解槽２４を備えている。電気分解槽２４の酸性水吐水口は分岐配管２１の下流端部を介して機能水吐水栓５に接続されている。電気分解槽２４のアルカリ水吐水口は棄水管２５を介して図示しない排水管に接続されている。機能水創水装置２は、電磁弁２２の作動と電気分解槽２４の作動とを制御するコントローラ２６を備えている。
図３に示すように、機能水吐水栓５は上向きに機能水を吐水して、機能水吐水栓５の最高部位よりも上方の高さ位置まで機能水を到達させるように、且つ洗面ボウル３内に機能水を着地させるように構成されている。
【００１４】
使用者は、洗面化粧台Ａを使用し、角質除去を伴う洗面化粧を以下の手順で行なう（化粧をしていない時は手順(1)、(2)を除く）。
(1)クレンジング剤で化粧を落とす。
(2) 吐水栓４から水道水を吐水してクレンジング剤を水で洗い落とす。
(3)洗顔フォームで洗顔する。
(4) 吐水栓４から水道水を吐水して洗顔フォームを水で洗い落とす。
(5) 機能水吐水栓５から機能水を吐水して角質を除去する。
角質除去時の洗面化粧台Ａの作動を詳述する。
使用者がスイッチボード６を操作して機能水の吐出を指示すると、コントローラ２６の制御下に、電磁弁２２が開放され、電気分解槽２４が始動する。分岐配管２１に水道水が流入する。分岐配管２１を流れる水道水に食塩供給タンク２３から食塩が供給される。食塩水は電気分解槽２４へ流入して電気分解される。電気分解槽２４の陰極近傍で生成されたアルカリ水は棄水管２５を介して排水管へ排水される。電気分解槽２４の陽極近傍で生成されたｐＨ２〜４好ましくはｐＨ２．７の角質除去能を有する酸性機能水は、分岐配管２１の下流端部を流れ、機能水吐水栓５から上向きに吐水する。機能水吐水栓５は、不使用時には洗面ボウル３のリム部上方に在ってボウル部には張り出していないが、機能水吐水時にはボウル部まで揺動した後機能水を上向きに吐水して、機能水吐水栓５の最高部位よりも上方の高さ位置まで機能水を到達させる。使用者は、手で機能水を掬うことなく下方へ差し向けた顔面を機能吐水栓５の上方へ差し出すだけで顔面に機能水を浴び、手を使うことなく吐水の勢いだけで顔面から角質を除去する。角質除去後、使用者はスイッチボード６を操作して機能水創水装置２の作動を停止させ、次いで吐水栓４から水道水を吐水させ、水道水で洗顔して機能水を洗い流す。
(6)化粧水を塗る。
(7)美容液を塗る。
上記説明から分かるように、洗面化粧台Ａの使用者は、角質除去を伴う洗面化粧の全手順を洗面化粧台Ａのみで行なうことができる。従って、洗面化粧台Ａを使用することにより、角質除去を伴う洗面化粧の際の生活動線を従来に比べて短縮できる。
機能吐水栓５から吐出した機能水が機能吐水栓５の最高部位よりも上方の高さ位置まで到達するので、使用者は、手で機能水を掬うことなく下方へ差し向けた顔を機能吐水栓５の上方へ差し出すだけで機能水を顔面に浴びることができ、また手を使うことなく吐水の勢いだけで角質を除去できる。従って、洗面化粧台Ａを使用することにより、楽な姿勢で且つ楽に角質除去を行なうことができる。
機能吐水栓５は、機能水を洗面ボウル３内に着地させるように吐水するので、洗面化粧台Ａ周囲の床や使用者の着衣に水跳ねしてそれらを汚すおそれは無い。
【実施例２】
【００１５】
図４に示すように、吐水栓４に接続する水道配管１００の途上にヒータ７と、酸化作用のある次亜塩素酸やハロゲン有機化合物、人体のホルモンバランスを攪乱する環境ホルモン等の有機化合物、等の有害物質を水道水から除去する有害物質除去フィルター８とが配設されている。上記を除いて、本実施例に係る洗面化粧台Ｂの構成は実施例１に係る洗面化粧台Ａの構成と同一である。
洗面化粧台Ｂにおいては、使用者は、有害物質が除去された温水を用いて、クレンジング剤や洗顔フォームを洗い落とす。
有害物質が除去された温水を用いて、クレンジング剤や洗顔フォームを洗い落とすことにより、皮膚に与える刺激を減少させ、或いは外因性の体調不良を防止することができる。
【実施例３】
【００１６】
図５に示すように、洗面化粧台Ｃは、キャビネット１と、キャビネット１内に配設された機能水創水装置９と、キャビネット１の上部に取り付けられた洗面ボウル３と、洗面ボウル３のリム部に取り付けられた吐水栓４、機能水吐水栓５、機能水創水装置のスイッチボード６とを備えている。
図６に示すように、機能水創水装置９は、吐水栓４に接続する水道配管１００から分岐した分岐配管９１と、分岐配管９１内の流水に関して上流から下流へ向けて順次分岐配管９１に接続された電磁弁９２、ヒータ９３、ナトリウム型の感応基端末を有するイオン交換樹脂が収納されたイオン交換樹脂カートリッジ９４、食塩供給タンク９５、電気分解槽９６を備えている。電気分解槽９６の酸性水吐水口は分岐配管９１の下流端部を介して機能水吐水栓５に接続されている。電気分解槽９６のアルカリ水吐水口は棄水管９７を介して図示しない排水管に接続されている。機能水創水装置９は更に、水道配管１００から分岐し、食塩水タンク９５とイオン交換樹脂カートリッジ９４とを経て、排水管に接続する分岐配管９１’を備えている。分岐配管９１’の、当該配管を流れる水流に関して食塩水タンク９５よりも上流側の部位に、電磁弁９８が接続している。機能水創水装置９は、電磁弁９２、９８の作動とヒータ９３の作動と電気分解槽９６の作動とを制御するコントローラ９９を備えている。
図７に示すように、機能水吐水栓５の吐水口に、圧電素子５１と、一端が圧電素子５１に固定された多孔板５２とから成る霧化装置５３が配設されている。この結果、図８に示すように、機能水吐水栓５は、霧化された機能水を上向きに吐水して、機能水吐水栓５の最高部位よりも上方の高さ位置まで霧化された機能水を到達させる。
【００１７】
使用者は、洗面化粧台Ｃを使用し、角質除去を伴う洗面化粧を以下の手順で行なう（化粧をしていない時は手順(1)、(2)を除く）。
(1)クレンジング剤で化粧を落とす。
(2) 吐水栓４から水道水を吐水してクレンジング剤を水で洗い落とす。
(3)洗顔フォームで洗顔する。
(4) 吐水栓４から水道水を吐水して洗顔フォームを水で洗い落とす。
(5) 機能水吐水栓５から機能水を吐水して角質を除去する。
角質除去時の洗面化粧台Ｃの作動を詳述する。
使用者がスイッチボード６を操作して機能水の吐出を指示すると、コントローラ９９の制御下に、電磁弁９２が開放され、ヒータ９３と電気分解槽９６とが始動する。分岐配管９１に水道水が流入し、ヒータ９３により加温される。分岐配管９１を流れる温水はイオン交換樹脂カートリッジ９４を通過して軟水化される。軟水の温水に食塩供給タンク９５から食塩が供給される。軟水の食塩温水は電気分解槽９６へ流入し電気分解される。電気分解槽９６の陰極近傍で生成されたアルカリ水は棄水管９７を介して排水管へ排水される。電気分解槽９６の陽極近傍で生成されたｐＨ２〜４好ましくはｐＨ２．７の角質除去能を有する酸性機能温水は、分岐配管９１の下流端部を流れ、機能水吐水栓５から上向きに霧化されて吐水する。機能水吐水栓５は、不使用時には洗面ボウル３のリム部上方に在ってボウル部には張り出していないが、機能水吐水時にはボウル部まで揺動した後機能水を上向きに霧化して吐水し、機能水吐水栓５の最高部位よりも上方の高さ位置まで霧化した機能水を到達させる。使用者は下方へ差し向けた顔面を機能吐水栓５の上方へ差し出し、機能水を浴び、手で肌をさすって角質を除去する。角質除去後、使用者はスイッチボード６を操作して機能水創水装置９の作動を停止させ、次いで吐水栓４から水道水を吐水させ、水道水で洗顔して機能水を洗い流す。
(6)化粧水を塗る。
(7)美容液を塗る。
長時間の使用によりイオン交換樹脂の機能が低下した時は、使用者はスイッチボード６を操作してイオン交換樹脂の再生を指示する。コントローラ９９の制御下に電磁弁９８が開放され、水道配管１００から分岐配管９１’へ流入した水道水が、食塩供給タンク９５を経て食塩水となり、イオン交換樹脂カートリッジ９４を経て排水管へ排水される。食塩水中のナトリウムイオンにより、イオン交換樹脂が再生される。
【００１８】
上記説明から分かるように、洗面化粧台Ｃの使用者は、角質除去を伴う洗面化粧の全手順を洗面化粧台Ｃのみで行なうことができる。従って、洗面化粧台Ｃを使用することにより、角質除去を伴う洗面化粧の際の生活動線を従来に比べて短縮できる。
機能吐水栓５から吐出した機能水が機能吐水栓５の最高部位よりも上方の高さ位置まで到達するので、使用者は下方へ差し向けた顔を機能吐水栓５の上方へ差し出すだけで機能水を顔面に浴びることができる。
霧化された機能水は、少量でも分散するので広範囲に亙って顔面に付着し、且つ、少量でも飛散速度が低く長時間に亙って顔面上に滞留するので効果的に角質を除去する。従って、機能水を霧化することにより、機能水の節水、電気分解槽の小型化、消費電力の節約、電解助剤の節約が実現される。また霧化することにより、人の肌や洗面ボウル３と接触した際の水跳ねを防止することができ、使用者の衣服や洗面化粧台周囲の床への機能水の飛散を防止することができる。
機能水を加温することにより、機能水が人肌に接触した際の刺激が緩和される。顔面へ向けて温風を吐出しつつ冷水の機能水を吐出しても良い。顔面へ向けて温風を吐出しつつ温水の機能水を吐出しても良い。
機能水を軟水化すると、泡立ちが良くなり角質除去能が向上する。また肌のタンパク質と結合するマグネシウムイオンやカルシウムイオンを除去した軟水を使用することで肌の張りや弾力を維持しつつ角質除去を行なうことができる。軟水の硬度は毛髪や皮膚のトラブル回避の観点から３０以下とするのが望ましい。
機能水を軟水化すると、機能水吐水栓５の吐水孔を形成する多孔板５２の細孔に炭酸マグネシウムや炭酸カルシウム等の塩が析出して吐水に支障を来すのを防止することができる。
電気分解槽９６に供給される水道水を軟水化することにより、電気分解槽の陰極に炭酸マグネシウムや炭酸カルシウム等の塩が析出して電解機能が低下するのを防止することができる。
【実施例４】
【００１９】
図９に示すように、洗面化粧台Ｄにおいては、吐水栓４と機能水吐水栓５とが一体化されている。一体化された吐水栓４と機能水吐水栓５とには、図示しない流路切替弁と流路切替弁を操作するための吐水選択摘まみ１０とが取り付けられている。上記を除き洗面化粧台Ｄの構成は洗面化粧台Ｃの構成と同一である。
洗面化粧台Ｄにおいては、使用者はスイッチボード６を操作して機能水の吐水を指示する際には、吐水栓兼用の機能水吐水栓の吐水選択摘まみ１０を介して図示しない流路切替弁を操作し、機能水吐水口５４からの吐水を選択する。この結果、機能吐水口５４から機能温水が霧化されて上向きに吐水する。機能水を用いて角質除去を行なった後、使用者はスイッチボード６を操作して機能水創水装置９の作動を停止させ、次いで吐水選択摘まみ１０を介して図示しない流路切替弁を操作し、水道水吐水口４１からの吐水を選択して、水道水吐水口４１から吐水する水道水を用いて洗顔し機能水を洗い流す。
吐水栓４と機能水吐水栓５とを一体化することにより、吐水栓の数が減って洗面ボウル３のリム上の突起物が減るので、洗面化粧台の使い勝手が向上し、また洗面化粧台の美感が向上する。
【実施例５】
【００２０】
図１０に示すように、洗面化粧台Ｅは、キャビネット１と、キャビネット１内に配設された機能水創水装置１０と、キャビネット１の上部に取り付けられた洗面ボウル３と、洗面ボウル３のリム部に取り付けられた吐水栓兼機能水吐水栓１１、機能水創水装置のスイッチボード６とを備えている。
図１１に示すように、機能水創水装置１０は、吐水栓兼機能水吐水栓１１に接続する水道配管１００から分岐した分岐配管１０１と、分岐配管１０１内の流水に関して上流から下流へ向けて順次分岐配管１０１に接続された電磁弁１０２、ナトリウム型の感応基端末を有するイオン交換樹脂が収納されたイオン交換樹脂カートリッジ１０３、食塩供給タンク１０４、電気分解槽１０５、ヒータ１０６を備えている。電気分解槽１０５の酸性水吐水口はヒータ１０６と分岐配管１０１の下流端部とを介して吐水栓兼機能水吐水栓１１に接続されている。電気分解槽１０５のアルカリ水吐水口は棄水管１０７を介して図示しない排水管に接続されている。機能水創水装置１０は更に、水道配管１００から分岐し、食塩水タンク１０４とイオン交換樹脂カートリッジ１０３とを経て、排水管に接続する分岐配管１０１’を備えている。分岐配管１０１’の、当該配管を流れる水流に関して食塩水タンク１０４よりも上流側の部位に、電磁弁１０８が接続している。機能水創水装置１０は、電磁弁１０２、１０８の作動と電気分解槽１０５の作動とヒータ１０６の作動とを制御するコントローラ１０９を備えている。
図１２に示すように、吐水栓兼機能水吐水栓１１は、洗面ボウル３のリム部に固定された本体部１１１と、水道水流路と機能水流路とを内蔵する伸縮自在のホース１１２を介して本体部１１１に接続され本体部１１１に着脱可能なシャワーヘッド１１３とを有している。シャワーヘッド１１３には、図示しない流路切替弁と流路切替弁を操作するための吐水選択摘まみ１１４とが取り付けられている。図１３に示すように、シャワーヘッド１１３の吐水口には、図示しない多孔固定ディスクと、多孔固定ディスクに摺動回転可能に重畳した多孔可動ディスク１１５とが取り付けられている。多孔可動ディスク１１５に取り付けられた摘まみ１１６を操作して多孔可動ディスク１１５を回転させることにより、多孔固定ディスクの貫通孔と多孔可動ディスク１１５の貫通孔との重畳の度合いを調整して、シャワーヘッド１１３からの吐水を通常のシャワー吐水と霧化吐水とに切り替えることができる。
【００２１】
使用者は、洗面化粧台Ｅを使用し、角質除去を伴う洗面化粧を以下の手順で行なう（化粧をしていない時は手順(1)、(2)を除く）。
(1)クレンジング剤で化粧を落とす。
(2) 吐水栓兼機能水吐水栓１１から水道水を吐水してクレンジング剤を水で洗い落とす。
(3)洗顔フォームで洗顔する。
(4) 吐水栓兼機能水吐水栓１１から水道水を吐水して洗顔フォームを水で洗い落とす。
(5) 吐水栓兼機能水吐水栓１１から機能水を吐水して角質を除去する。
角質除去時の洗面化粧台Ｅの作動を詳述する。
使用者は、吐水栓兼機能水吐水栓１１の吐水選択摘まみ１１４を介して図示しない流路切替弁を操作し機能水の吐水を選択する。また使用者はシャワーヘッド１１３を本体部１１１から引き出し、摘まみ１１６を操作して吐水モードを霧化水吐水モードに設定する。使用者がスイッチボード６を操作して機能水の吐出を指示すると、コントローラ１０９の制御下に、電磁弁１０２が開放され、電気分解槽１０５とヒータ１０６とが始動する。分岐配管１０１に水道水が流入し、イオン交換樹脂カートリッジ１０３を通過して軟水化される。軟水に食塩供給タンク１０４から食塩が供給される。軟水の食塩水は電気分解槽１０５へ流入し電気分解される。電気分解槽１０５の陰極近傍で生成されたアルカリ水は棄水管１０７を介して排水管へ排水される。電気分解槽１０５の陽極近傍で生成されたｐＨ２〜４好ましくはｐＨ２．７の角質除去能を有する酸性機能水は、ヒータ１０６を通って加温され、分岐配管１０１の下流端部を流れ、吐水栓兼機能水吐水栓１１のシャワーヘッド１１３から霧状に吐水する。使用者はシャワーヘッド１１３を片方の手に持ち、洗面ボウル上に差し出した顔面の好みの部位にシャワーヘッド１１３を近づけて機能水の霧を浴び、他方の手で肌をさすって角質を除去する。角質除去後、使用者はスイッチボード６を操作して機能水創水装置１０の作動を停止させ、摘まみ１１６を操作して吐水モードをシャワー吐水モードに設定し、シャワーヘッド１１３を本体部１１１に装着し、吐水栓兼機能水吐水栓１１の操作レバーを操作してシャワーヘッド１１３から水道水を吐水させ、水道水で洗顔して機能水を洗い流す。
(6)化粧水を塗る。
(7)美容液を塗る。
長時間の使用によりイオン交換樹脂の機能が低下した時は、使用者はスイッチボード６を操作してイオン交換樹脂の再生を指示する。コントローラ１０９の制御下に電磁弁１０８が開放され、水道配管１００から分岐配管１０１’へ流入した水道水が、食塩供給タンク１０４を経て食塩水となり、イオン交換樹脂カートリッジ１０３を経て排水管へ排水される。食塩水中のナトリウムイオンにより、イオン交換樹脂が再生される。
【００２２】
上記説明から分かるように、洗面化粧台Ｅの使用者は、角質除去を伴う洗面化粧の全手順を洗面化粧台Ｅのみで行なうことができる。従って、洗面化粧台Ｅを使用することにより、角質除去を伴う洗面化粧の際の生活動線を従来に比べて短縮できる。
吐水栓兼機能水吐水栓１１のシャワーヘッド１１３は可動であり、使用者は顔を動かすことなく顔面の所望の部位に機能水を浴びることができるので便利である。
機能水を加温することにより、機能水が人肌に接触する際の刺激が減少する。顔面へ向けて温風を吐出しつつ冷水の機能水を吐出しても良い。顔面へ向けて温風を吐出しつつ温水の機能水を吐出しても良い。
霧化された機能水は、少量でも分散するので広範囲に亙って顔面に付着し、且つ、少量でも飛散速度が低く長時間に亙って顔面上に滞留するので効果的に角質を除去する。従って、機能水を霧化することにより、機能水の節水、電気分解槽の小型化、消費電力の節約、電解助剤の節約が実現される。また霧化することにより、人の肌や洗面ボウル３と接触した際の水跳ねを防止することができ、使用者の衣服や洗面化粧台周囲の床への機能水の飛散を防止することができる。
機能水を軟水化すると、泡立ちが良くなり角質除去能が向上する。また肌のタンパク質と結合するマグネシウムイオンやカルシウムイオンを除去した軟水を使用することで肌の張りや弾力を維持しつつ角質除去を行なうことができる。軟水の硬度は毛髪や皮膚のトラブル回避の観点から３０以下とするのが望ましい。
機能水を軟水化すると、シャワーヘッド１１３に取り付けた多孔ディスクの細孔に炭酸マグネシウムや炭酸カルシウム等の塩が析出して吐水に支障を来すのを防止することができる。
電気分解槽１０５に供給される水道水を軟水化することにより、電気分解槽の陰極に炭酸マグネシウムや炭酸カルシウム等の塩が析出して電解機能が低下するのを防止することができる。
吐水栓兼機能水吐水栓１１を配設して二つの水栓を一体化することにより、吐水栓の数が減って洗面ボウル３のリム上の突起物が減るので、洗面化粧台の使い勝手が向上し、また洗面化粧台の美感が向上しする。
【実施例６】
【００２３】
図１４に示すように、洗面化粧台Ｆは、キャビネット１と、キャビネット１の上部に取り付けられた洗面ボウル３と、洗面ボウル３のリム部に取り付けられた吐水栓４と、洗面ボウル３のリム部に着脱可能に取り付けられた機能水創水吐出装置１２とを備えている。
図１５に示すように、機能水創水吐出装置１２は、水道配管１００に着脱可能な配管１２１と、配管１２１内の流水に関して上流から下流へ向けて順次配管１２１に接続された電磁弁１２２、ヒータ１２３、ナトリウム型の感応基端末を有するイオン交換樹脂が収納されたイオン交換樹脂カートリッジ１２４、食塩供給タンク１２５、電気分解槽１２６を備えている。電気分解槽１２６の酸性機能水吐水口は配管１２１の下流端部を介して機能水タンク１２７に接続している。機能水タンク１２７は霧化装置を内蔵する機能水吐出ノズル１２’に接続している。電気分解槽１２６のアルカリ水吐水口は棄水管を介して捨て水タンク１２７’に接続されている。機能水創水吐出装置１２は更に、配管１２１から分岐し、食塩水タンク１２５とイオン交換樹脂カートリッジ１２４とを経て、着脱可能に排水管に接続する分岐配管１２１’を備えている。分岐配管１２１’の、当該配管を流れる水流に関して食塩水タンク１２５よりも上流側の部位に、電磁弁１２８が接続している。機能水創水吐出装置１２は、電磁弁１２１、１２８の作動とヒータ１２３の作動と電気分解槽１２６の作動とを制御するコントローラ１２９を備えている。
【００２４】
使用者は、洗面化粧台Ｆを使用し、角質除去を伴う洗面化粧を以下の手順で行なう（化粧をしていない時は手順(1)、(2)を除く）。
(1)クレンジング剤で化粧を落とす。
(2) 吐水栓４から水道水を吐水してクレンジング剤を水で洗い落とす。
(3)洗顔フォームで洗顔する。
(4) 吐水栓４から水道水を吐水して洗顔フォームを水で洗い落とす。
(5) 機能水創水吐出装置１２から機能水を吐水して角質を除去する。
角質除去時の洗面化粧台Ｆの作動を詳述する。
使用者が、機能水創水吐出装置１２の図示しないスイッチボードを操作して機能水の生成を指示すると、コントローラ１２９の制御下に、電磁弁１２２が開放され、ヒータ１２３と電気分解槽１２６とが始動する。配管１２１に水道水が流入し、ヒータ１２３を通過して温水となり、イオン交換樹脂カートリッジ１２４を通過して軟水化される。軟水の温水に食塩供給タンク１２５から食塩が供給される。軟水の食塩温水は電気分解槽１２６へ流入し電気分解される。電気分解槽１２６の陰極近傍で生成されたアルカリ水は棄水管を介して排水タンク１２７’に流入し貯留される。電気分解槽１２６の陽極近傍で生成されたｐＨ２〜４好ましくはｐＨ２．７の角質除去能を有する酸性機能水は、機能水タンク１２７に流入し貯留される。使用者は機能水創水吐出装置１２を水洗ボウル３のリムから取り外し、図示しないスイッチボードを操作して機能水の吐出を指示する。機能水吐出ノズル１２’から機能水が霧状に吐水する。機能水創水吐出装置１２の取り外しと同時に、水道配管１００と配管１２１との接続部、排水管と分岐配管１２１’との接続部は閉鎖される。使用者は機能水創水吐出装置１２を片方の手に持ち、洗面ボウル上に差し出した顔面の好みの部位に機能水吐水ノズル１２’を近づけて機能水の霧を浴び、他方の手で肌をさすって角質を除去する。角質除去後、使用者はスイッチボードを操作して機能水創水吐出装置１２の作動を停止させ、水洗ボウル３のリムに装着し、吐水栓４から水道水を吐水させ、水道水で洗顔して機能水を洗い流す。
長時間の使用によりイオン交換樹脂の機能が低下した時は、使用者は機能水創水吐出装置１２のスイッチボードを操作してイオン交換樹脂の再生を指示する。コントローラ１２９の制御下に電磁弁１２８が開放され、配管１２１から分岐配管１２１’へ流入した水道水が、食塩供給タンク１２５を経て食塩水となり、イオン交換樹脂カートリッジ１２４を経て排水管へ排水される。食塩水中のナトリウムイオンにより、イオン交換樹脂が再生される。
【００２５】
上記説明から分かるように、洗面化粧台Ｆの使用者は、角質除去を伴う洗面化粧の全手順を洗面化粧台Ｆのみで行なうことができる。従って、洗面化粧台Ｆを使用することにより、角質除去を伴う洗面化粧の際の生活動線を従来に比べて短縮できる。
機能水創水吐出装置１２は洗面ボウル３に着脱可能で可動であり、使用者は顔を動かすことなく顔面の所望の部位に機能水を浴びることができるので便利である。
機能水を加温することにより、機能水が人肌に接触した際の刺激が減少する。顔面へ向けて温風を吐出しつつ冷水の機能水を吐出しても良い。顔面へ向けて温風を吐出しつつ温水の機能水を吐出しても良い。
霧化された機能水は、少量でも分散するので広範囲に亙って顔面に付着し、且つ、少量でも飛散速度が低く長時間に亙って顔面上に滞留するので効果的に角質を除去する。従って、機能水を霧化することにより、機能水の節水、電気分解槽の小型化、消費電力の節約、電解助剤の節約が実現される。また霧化することにより、人の肌や洗面ボウル３と接触した際の水跳ねを防止することができ、使用者の衣服や洗面化粧台周囲の床への機能水の飛散を防止することができる。
機能水を軟水化すると、泡立ちが良くなり角質除去能が向上する。また肌のタンパク質と結合するマグネシウムイオンやカルシウムイオンを除去した軟水を使用することで肌の張りや弾力を維持しつつ角質除去を行なうことができる。軟水の硬度は毛髪や皮膚のトラブル回避の観点から３０以下とするのが望ましい。
機能水を軟水化すると、機能水吐水ノズル１２’の吐水孔に炭酸マグネシウムや炭酸カルシウム等の塩が析出して吐水に支障を来すのを防止することができる。
電気分解槽１２６に供給される水道水を軟水化することにより、電気分解槽の陰極に炭酸マグネシウムや炭酸カルシウム等の塩が析出して電解機能が低下するのを防止することができる。
【実施例７】
【００２６】
図１６に示すように、洗面化粧台Ａ〜Ｆは、椅子１３と防曇鏡１４とを備えている。
洗面化粧台Ａ〜Ｆに椅子１３を配設すれば、使用者Ｐは、椅子１３に座りながら楽な姿勢が角質除去を行なえるので、洗面化粧台の使い勝手が向上する。
洗面化粧台Ａ〜Ｆに鏡１４を配設すれば、使用者Ｐは、鏡を見て機能水の浴び具合や洗顔のタイミングを測りながら角質除去を行なえるので、洗面化粧台の使い勝手が向上する。鏡１４が防曇鏡であれば、入浴前後や鏡が曇り易い寒冷地でも、鏡を見ながら角質除去を行なえるので、洗面化粧台の使い勝手が更に向上する。
【実施例８】
【００２７】
上記実施例において、機能水の吐水方向は上向きに限定されない。下向きでも良い。
洗面化粧台Ｃにおいて、二枚のディスクで構成される霧化装置５３を用いて機能水を霧化するのに代えて、図１７に例示するような霧化装置を用いて機能水を霧化しても良い。
図１７（ａ）に例示する霧化ノズル５４は、流入口５４ａと、流入口５４ａに連通する円柱状の旋回流生成空間５４ｂと、旋回流生成空間５４ｂに連通する小径の噴出口５４ｃとを有している。流入口５４ａから霧化ノズル５４へ流入した機能水は、旋回流生成空間５４ｂに対して接線方向に流入して旋回流となり、旋回する細流となって噴出口５４ｃから噴出する。噴出した機能水の旋回細流は水膜を形成しつつ放射状に拡散し、表面張力によって微細水滴に分裂し、機能水のミストを形成する。格別の加圧をしなくても、機能水のミストを吐出することは可能であるが、噴出口５４ｃの径を微小にし、ポンプ等を用いて霧化ノズル５４に流入する機能水を０．４Ｍｐａ以上に加圧すると、粒径が１００μｍ以下の微細ミストを吐水することができる。微細ミスト化した機能水は肌への当たりが柔らかく、また広く拡散し顔面全体に付着するので、好適である。
図１７（ｂ）に示す超音波振動子を有する霧化装置５５は、機能水を貯留する水受け部５５ａと、超音波振動子５５ｂと、超音波振動子５５ｂの図示しない駆動回路とを有している。超音波振動子５５ｂは、酸性水に対して耐食性のある白金又は金で表面が被覆された圧電セラミックにより構成されている。超音波振動子５５ｂに数百ｋＨｚ乃至１ＭＨｚ程度の周波数の交流電流を供給すると、超音波振動子５５ｂが振動し、水受け部５５ａ内に貯留された機能水が振動して霧化される。微細ミストを発生させる際には、高周波数の交流電流を超音波振動子５５ｂに供給する。空焚き防止のために、フロートスイッチを配設して、水受け部５５ａ内に機能水が貯留されていない時には、超音波振動子５５ｂを作動させないように制御するのが望ましい。水受け部５５ａを廃止し、機能水を超音波振動子５５ｂに直接供給しつつ霧化するように構成しても良い。
洗面化粧台Ｅにおいて、ヒータ１０６により機能水を高温に加熱し、シャワーヘッド１１３から機能水の湯気を吐水するように構成しても良い。
ナトリウム型の官能基端末を有するイオン交換樹脂に代えて、水素型の官能基端末を有するイオン交換樹脂を使用しても良い。弱酸性軟水を電気分解することにより消費電力が低減する。
【産業上の利用可能性】
【００２８】
本発明は、洗面化粧台に広く利用可能である。
【図面の簡単な説明】
【００２９】
【図１】本発明の第一実施例に係る洗面化粧台の斜視図である。
【図２】本発明の第一実施例に係る洗面化粧台が備える機能水創水装置の機器構成図である。
【図３】本発明の第一実施例に係る洗面化粧台が備える機能水吐水栓の側面図である。
【図４】本発明の第二実施例に係る洗面化粧台が備える機能水創水装置の機器構成図である。
【図５】本発明の第３実施例に係る洗面化粧台の斜視図である。
【図６】本発明の第３実施例に係る洗面化粧台が備える機能水創水装置の機器構成図である。
【図７】本発明の第３実施例に係る洗面化粧台が備える霧化装置の構造図である。
【図８】本発明の第３実施例に係る洗面化粧台が備える機能水吐水栓の側面図である。
【図９】本発明の第４実施例に係る洗面化粧台が備える一体化された吐水栓と機能水吐水栓の斜視図である。
【図１０】本発明の第５実施例に係る洗面化粧台の斜視図である。
【図１１】本発明の第５実施例に係る洗面化粧台が備える機能水創水装置の機器構成図である。
【図１２】本発明の第５実施例に係る洗面化粧台が備える吐水栓兼機能水吐水栓の斜視図である。（ａ）はシャワーヘッドが水栓本体に装着された状態を示し、（ｂ）はシャワーヘッドが水栓本体から引き抜かれた状態を示す。
【図１３】本発明の第５実施例に係る洗面化粧台が備える霧化装置の構造図である。
【図１４】本発明の第６実施例に係る洗面化粧台の斜視図である。
【図１５】本発明の第６実施例に係る洗面化粧台が備える機能水創水装置の機器構成図である。
【図１６】本発明の第７実施例に係る洗面化粧台の斜視図である。
【図１７】本発明の第３実施例に係る洗面化粧台が備える霧化装置の変形例の断面図である。
【符号の説明】
【００３０】
Ａ、Ｂ、Ｃ、Ｄ、Ｅ、Ｆ  洗面化粧台
２、９、１０  機能水創水装置
４  吐水栓
５  機能水吐水栓
６  スイッチボード
１２  機能水生成吐出装置
２５、９６、１０５、１２６  電気分解槽
５３、５５  霧化装置
５４  霧化ノズル
【図１】
2006271797.tif 000003
【図２】
2006271797.tif 000004
【図３】
2006271797.tif 000005
【図４】
2006271797.tif 000006
【図５】
2006271797.tif 000007
【図６】
2006271797.tif 000008
【図７】
2006271797.tif 000009
【図８】
2006271797.tif 000010
【図９】
2006271797.tif 000011
【図１０】
2006271797.tif 000012
【図１１】
2006271797.tif 000013
【図１２】
2006271797.tif 000014
【図１３】
2006271797.tif 000015
【図１４】
2006271797.tif 000016
【図１５】
2006271797.tif 000017
【図１６】
2006271797.tif 000018
【図１７】
2006271797.tif 000019